(57)【要約】【課題】リムを持たないで両レンズを連結部材の両側に設けた止着片に直接ネジ止めすると共に、レンズ外側にはヨロイをネジ止めして成る縁なしメガネであって、レンズの弛みを防止した縁なしメガネの提供。【解決手段】レンズ１をネジ止めする場合、概略ドーム型のワッシャ１３を使用し、しかも該ドーム型ワッシャ１３の表面１６には細かい凸部１７，１７・・を形成してネジ８が弛まないようにしている。【選択図】        図２
2004198489.tif 000002
【特許請求の範囲】
【請求項１】
リムを持たないで両レンズを連結部材の両側に設けた止着片に直接ネジ止めすると共に、レンズ外側にはヨロイをネジ止めして成る縁なしメガネにおいて、表面に細かい凹凸を形成した概略ドーム型ワッシャを介在してネジ止めしたことを特徴とする縁なしメガネ。
【請求項２】
リムを持たないで両レンズを連結部材の両側に設けた止着片に直接ネジ止めすると共に、レンズ外側にはヨロイをネジ止めして成る縁なしメガネにおいて、レンズに貫通して設けた穴には樹脂製のツバ付きブッシュを嵌めると共にツバは一方のレンズ面に当接し、該ツバの上には連結部材又はヨロイの止着片を配置してネジを上記ツバ付きブッシュの穴を挿通し、そしてレンズの反対面には平ワッシャを当て、更に表面に細かい凹凸を形成した概略ドーム型ワッシャ重ね合わせてナットを締め付けしたことを特徴とする縁なしメガネ。
【請求項３】
メガネを構成する部品をネジ止めする場合に、ネジの弛み防止の為に使用するワッシャにおいて、該ワッシャ形状を概略ドーム型とし、しかも表面には細かい凹凸を形成したことを特徴とするメガネ用ワッシャ。
【請求項４】
上記概略ドーム型ワッシャの外周縁に複数のスリット溝を形成した請求項３記載のメガネ用ワッシャ。
【発明の詳細な説明】
【０００１】
【発明の属する技術分野】
本発明はリムを持たないでレンズを直接連結する縁無しメガネ、及びネジ止めしたメガネ部品の弛みを防止するワッシャに関するものである。
【０００２】
【従来の技術】
図４は従来の一般的な縁無しメガネを示している具体例である。両レンズ(イ)、(イ)は連結部材(ロ)によってネジ止めされ、レンズ(イ)、(イ)の外側にはヨロイ(ハ)、(ハ)がネジ止めにて取着されている。そして、このヨロイ(ハ)には継手部を介してツル(ニ)が折畳み出来るように取付けされ、さらにレンズ(イ)の内側には上記連結部材(ロ)から延びる脚先端に鼻当てパット(ホ)が設けられている。
【０００３】
ところで、両レンズ(イ)、(イ)は連結部材(ロ)にてネジ止めされ、同じくヨロイ(ハ)はレンズ外側にネジ止めされているが、１本のネジでレンズ(イ)と連結固定する場合、ネジを中心として回転しない構造としなければならない。縁無しメガネではレンズの外周に当接する当り片(ヘ)を連結部材(ロ)並びにヨロイ(ハ)に設けることで、レンズの回転を阻止してガタ付かない構造が採用されている。
【０００４】
このように、両レンズ(イ)、(イ)を連結部材(ロ)の両サイドにネジ止めし、レンズ外側にヨロイ(ハ)、(ハ)をネジ止めしているが、該ネジ(ト)、(ト)・・に弛みを生じるならば、上記当り片(ヘ)がレンズ外周に正しく当接していてもガタ付を発生する。従来、メガネ用ネジとして弛み止め対策が施されたものも存在し、ネジ外周に樹脂をコーティングしたネジ、又外周にスリット溝を形成したネジが知られている。
【０００５】
メガネを構成する部品は一般的に小さく、その為にネジは更に小さくて細い為にトルクに対する抵抗が小さくて弛み易く、この弛み現象は縁なしメガネに限るものではない。特に縁なしメガネの場合には、両レンズが連結部材にて直接ネジ止めされる為に、すなわちレンズを保持するリムを備えたフロント部がない為に、上記ネジが弛むことでメガネ全体がガタ付き、歪んでしまう。
【０００６】
【発明が解決しようとする課題】
このように、従来の縁なしメガネには上記のごとき問題がある。本発明が解決しようとする課題はこれら問題点であり、レンズに無理な応力を作用することなく、すなわち、レンズの欠けや割れを防止すると共に締め付けたネジが弛まないようにした縁なしメガネを提供する。及び、一般的なメガネの場合、締め付けられた部品が弛まないワッシャを提供する。
【０００７】
【課題を解決する為の手段】
本発明に係る縁無しメガネの基本形態は従来通りであって、両レンズは連結部材の両側に直接ネジ止めされると共に、レンズ外側にはヨロイがネジ止めされている。そして、上記ヨロイには継手を介してツルが折畳み出来るように取付けられている。ところで、上記連結部材とレンズのネジ止め構造、及びレンズとヨロイのネジ止め構造において、締め付けたネジが弛まないようにワッシャが用いられている。
【０００８】
本発明は上記ワッシャとして概略ドーム型に湾曲した形状を成し、ネジを締め付けることで潰されてリングワッシャ(平ワッシャ)と成る。そして、表面は細かい凹凸面を成し、ネジ頭又はナットとの間に大きな摩擦を発生し、その結果、弛みを防止することが出来る。概略ドーム型ワッシャは、潰されることで弾性回復力をネジ頭又はナットとの間に作用し合い、この弾性回復力を低下させないことでネジの弛みは発生しない。以下、本発明に係る実施例を図面に基づいて詳細に説明する。
【０００９】
【実施例】
図１は本発明に係る縁なしメガネのレンズ１とヨロイ２の連結構造を示している断面図である。レンズ１の所定の位置には穴３が貫通し、該穴３にはツバ付きブッシュ４が嵌っている。ツバ５はレンズ表面６に当接し、該ツバ５の上にはヨロイ２から延びる止着片７が当ってネジ止めされている。ネジ８は穴３に嵌ったツバ付きブッシュ４の穴に挿通し、ネジ頭９は止着片７の上に着座してレンズ裏側へ突出したネジにはナット１０が螺合している。
【００１０】
レンズ裏側には樹脂製の平ワッシャ１１がレンズ裏面１２に接し、該平ワッシャ１１には本発明のドーム型ワッシャ１３が重ね合わされた状態で上記ナット１０がネジ８に螺合して締め付けられている。そして、レンズ１の外周にはヨロイ２に形成した当り片１４が当接している為に、ガタ付くことなく固定される。
【００１１】
このように、レンズ外側にはヨロイ２が連結されるが、レンズの穴３には樹脂製のツバ付きブッシュ４が嵌って、該穴４の内周面及びレンズ表面６がカバーされ、又レンズ裏面１２には樹脂製平ワッシャ１１が配置されることで、ネジ８、ネジ頭９、及びナット１０がレンズ１に直接接しない構造と成っている。そして、本発明では、締め付けたネジが弛まないように、上記ドーム型ワッシャ１３が平ワッシャ１１とナット１０の間に介在している。
【００１２】
ところで、該ドーム型ワッシャ１３は図２に具体例を示すように、滑らかに湾曲し、上部にはネジ８が挿通する穴１５が貫通し、そして表面１６には小さな凸部１７，１７・・が設けられている。該ドーム型ワッシャ１３は上記平ワッシャ１１とナット１０の間に介在してネジ締めされる訳であるが、ナット１０が締め付けられるならば、図２(ｃ)のように潰されて平ワッシャと成る。
【００１３】
その結果、潰されたドーム型ワッシャ１３は(ｃ)に示すごとく、元のドーム型形状に戻ろうとする復元力が作用し、ナット１０を押圧する。従来の縁なしメガネでは、ツルを開閉する際にレンズ１やツバ付きブッシュ４が変形して、ネジ８に働く軸方向応力が低下してナット１０が弛む場合が多い。しかし、本発明のドーム型ワッシャ１３を介在することで、ナット１０には常に一定の面圧が働き、該ナット１０に弛みは発生し難い。
【００１４】
ここで、該ドーム型ワッシャ１３の形状は表面１６が滑らかな球面と成っているが、皿型のワッシャとすることも出来る。そして表面１６に形成される小さな凸部１７，１７・・はプレス加工にて成形され、その具体的な凸部形状は限定されない。しかし、該ドーム型ワッシャ１３の高さが大きい場合、潰されて平ワッシャに成るならば、外周縁１８には引っ張り応力が作用し、該応力によって外周縁１８に亀裂が生じる。
【００１５】
そこで、図３に示すようなドーム型ワッシャの外周縁１８にスリット溝１９，１９・・を放射状に設ける場合もある。これらスリット溝１９，１９・・により、外周縁１８に発生する引っ張り応力は小さくなり、亀裂の発生を抑えることが出来る。
【００１６】
ところで、このドーム型ワッシャは縁なしメガネに限定されるものではなく、他のメガネにおいて、部品の取付け及び連結に使用することが出来る。以上述べたように、本発明の縁なしメガネはドーム型ワッシャを用いてネジ止めしたものであり、次のような効果を得ることが出来る。
【００１７】
【発明の効果】
本発明に係る縁なしメガネは、ドーム型ワッシャを用いてネジ止めする構造である為に、該ネジは弛み難く成る。すなわち、ドーム型ワッシャはネジ締めされることで平ワッシャのように潰されるが、弾性復元力が発生してナットやネジ頭に作用し、該ナットの弛みを防止することが出来る。従って、縁なしメガネのレンズがガタ付くことはなく、何時までも安定する。
【００１８】
そして、該ドーム型ワッシャはネジ締めされることで潰され、外周縁には引っ張り応力が発生し、その結果、亀裂を生じる場合があるが、外周縁にスリット溝を設けることでこの亀裂の発生を防止できる。
【図面の簡単な説明】
【図１】本発明に係る縁無しメガネのレンズとヨロイの連結構造。
【図２】本発明のドーム型ワッシャの具体例。
【図３】本発明のドーム型ワッシャの具体例。
【図４】一般的な縁なしメガネ。
【符号の説明】
１  レンズ
２  ヨロイ
３  穴
４  ツバ付きワッシャ
５  ツバ
６  レンズ表面
７  止着片
８  ネジ
９  ネジ頭
10  ナット
11  平ワッシャ
12  レンズ裏面
13  ドーム型ワッシャ
14  当り片
15  穴
16  表面
17  凸部
18  外周縁
19  スリット溝
【図１】
2004198489.tif 000003
【図２】
2004198489.tif 000004
【図３】
2004198489.tif 000005
【図４】
2004198489.tif 000006